(57)【要約】      （修正有）【課題】十分な大きさの開口を確保しつつ、空間の床面積を有効に活用して個室のスペースを広くすることができる間仕切装置を提供する。【解決手段】空間Ｒを通路Ｃと通路Ｃに面して開口を有する複数の個室Ｐ１〜Ｐ４とに仕切る間仕切装置１であって、個室Ｐ１〜Ｐ４は通路Ｃを囲むように略コ字状に配置されており、通路Ｃの奥側には仕切壁部３により２つの個室Ｐ１，Ｐ２が区画されており、これら２つの奥側の個室Ｐ１，Ｐ２の開口は、互いの開口面が通路Ｃ側で対向するように斜めに配置されている。【選択図】図１
2019127778.tif 000002
【特許請求の範囲】
【請求項１】
空間を通路と該通路に面して開口を有する複数の個室とに仕切る間仕切装置であって、
前記複数の個室は前記通路を囲むように略コ字状に配置されており、
前記通路の奥側には仕切壁部により２つの個室が区画されており、これら２つの奥側の個室の開口は、互いの開口面が前記通路側で対向するように斜めに配置されていることを特徴とする間仕切装置。
【請求項２】
前記奥側の個室の前記開口は、前記奥側の個室を仕切る仕切壁部に沿って回転を伴って移動可能な引戸パネルにより開閉可能となっていることを特徴とする請求項１に記載の間仕切装置。
【請求項３】
前記奥側の個室同士を仕切る前記仕切壁部は、前記通路側の先端部が２つの前記奥側の個室の間で水平方向に移動可能な可動パネルとなっており、前記奥側の個室の前記開口を開閉可能とする前記引戸パネルの閉方向側の端部が前記可動パネルに当接することを特徴とする請求項２に記載の間仕切装置。
【請求項４】
前記奥側の個室と隣接する手前側の個室の開口は、前記奥側の個室の開口に近接して配置されていることを特徴とする請求項１ないし３のいずれかに記載の間仕切装置。
【請求項５】
前記手前側の個室と前記通路とを仕切る一方の仕切壁部は、当該手前側の個室と前記奥側の個室とを仕切る他方の仕切壁部の前記通路側の端部より前記通路側に配置され、前記一方の仕切壁部の端部と前記他方の仕切壁部の端部とは、前記開口の開口面に対して略直交する接続部材により接続されていることを特徴とする請求項１ないし４のいずれかに記載の間仕切装置。
【請求項６】
前記複数の個室同士を仕切る仕切壁部は、少なくとも一部に透光性を備えたパネル体を有して構成されていることを特徴とする請求項１ないし５のいずれかに記載の間仕切装置。
【発明の詳細な説明】
【技術分野】
【０００１】
本発明は、空間を複数の個室と通路とに仕切る間仕切装置に関する。
【背景技術】
【０００２】
従来、病院や介護施設等において、増改築や用途変更に対応できる間仕切装置を利用して大部屋等の空間を複数の個室に仕切ることが行われている。このような間仕切装置は、各個室にアクセスするための通路が空間の中央にて奥行方向に延びており、この通路に各個室が面するように配置されている。例えば、特許文献１には、個室同士はアコーディオンドアにて構成される仕切壁部にて仕切られ、個室と通路とはカーテンにて仕切ることができるようになっている。また、プライバシーの確保や遮音性や衛生面の観点から、近年では特許文献２のように、通路と個室との間、個室同士の間ともパネル状の仕切壁部にて仕切るものがある。この特許文献２の間仕切壁は、レールにて移動方向が案内される複数のスライドパネルにて構成されている。
【先行技術文献】
【特許文献】
【０００３】
【特許文献１】特開２００４−２３２３９８号公報（第４頁、第２図）
【特許文献２】特許第５３７３５４０号公報（第４頁、第５図）
【発明の概要】
【発明が解決しようとする課題】
【０００４】
このような間仕切装置は、居住性を高める面で個室に充てる面積はできるだけ広く形成されることが好ましく、加えて人の出入りや家具の移動を円滑に行えるように所定以上の幅の通路が必要となる。また、特許文献１や２のように、一般に通路は空間の奥側の壁まで延びて形成されているが、特に通路の奥側は人や家具の移動の動線として利用されることが少なく、実質的なデッドスペースとなっている。したがって、特許文献２のようなレイアウトでは、空間の床面積を有効に活用できていないという問題がある。
【０００５】
本発明は、このような問題点に着目してなされたもので、十分な大きさの開口を確保しつつ、空間の床面積を有効に活用して個室のスペースを広くすることができる間仕切装置を提供することを目的とする。
【課題を解決するための手段】
【０００６】
前記課題を解決するために、本発明の間仕切装置は、
空間を通路と該通路に面して開口を有する複数の個室とに仕切る間仕切装置であって、
前記複数の個室は前記通路を囲むように略コ字状に配置されており、
前記通路の奥側には仕切壁部により２つの個室が区画されており、これら２つの奥側の個室の開口は、互いの開口面が前記通路側で対向するように斜めに配置されていることを特徴としている。
この特徴によれば、通路を囲んで略コ字状に複数の個室を配置することで空間の奥行き方向における通路の占める面積を小さくでき、空間の床面積を有効に活用して個室のスペースを広くすることができる。また、２つの奥側の個室の開口を互いに対向するように斜めに配置したことで、通路の幅内に２つの奥側の個室の開口を配置しながらも、これら開口を大きく形成することができる。
【０００７】
前記奥側の個室の前記開口は、前記奥側の個室を仕切る仕切壁部に沿って回転を伴って移動可能な引戸パネルにより開閉可能となっていることを特徴としている。
この特徴によれば、引戸パネルが仕切壁部に沿って移動されるため、奥側の個室内のスペースを有効に活用できる。
【０００８】
前記奥側の個室同士を仕切る前記仕切壁部は、前記通路側の先端部が２つの前記奥側の個室の間で水平方向に移動可能な可動パネルとなっており、前記奥側の個室の前記開口を開閉可能とする前記引戸パネルの閉方向側の端部が前記可動パネルに当接することを特徴としている。
この特徴によれば、一方側の引戸パネルを開くとともに可動パネルを他方側の奥の個室内に水平方向に移動させることで、一方側の奥側の個室に対して家具を搬入または搬出するためのスペースを大きく確保できる。
【０００９】
前記奥側の個室と隣接する手前側の個室の開口は、前記奥側の個室の開口に近接して配置されていることを特徴としている。
この特徴によれば、奥側の個室の開口を利用して、手前側の個室に搬入または搬出する家具の転回や切り返しを行うスペースを確保できる。
【００１０】
前記手前側の個室と前記通路とを仕切る一方の仕切壁部は、当該手前側の個室と前記奥側の個室とを仕切る他方の仕切壁部の前記通路側の端部より前記通路側に配置され、前記一方の仕切壁部の端部と前記他方の仕切壁部の端部とは、前記開口の開口面に対して略直交する接続部材により接続されていることを特徴としている。
この特徴によれば、手前側の個室の面積を通路側に大きくしながら、当該手前側の個室を区画する仕切壁部同士が交差する角部が、奥側の個室の開口の前方に斜めに延びる移動経路に張り出さず、人や家具の移動が阻害されない。
【００１１】
前記複数の個室同士を仕切る仕切壁部は、少なくとも一部に透光性を備えたパネル体を有して構成されていることを特徴としている。
この特徴によれば、個室間で光が透過されることで、個室内の圧迫感を減らすとともに、各個室の照度を確保することができる。
【図面の簡単な説明】
【００１２】
【図１】本発明の実施例における間仕切装置を示す斜視図である。
【図２】間仕切装置を示す平面図である。
【図３】一方の奥側個室を示す平面図であり、（ａ）はスライドレールと引戸パネルとの関係を示す図であり、（ｂ）は引戸パネルの動きを示す図である。
【図４】（ａ）は奥側個室同士を仕切る仕切壁部を示す平面図であり、（ｂ）は仕切壁部の動きを示す図である。
【図５】一方の手前側の個室を示す平面図であり、（ａ）はスライドレールと引戸パネルとの関係を示す図であり、（ｂ）は引戸パネルの動きを示す図である。
【図６】手前側の個室を仕切る仕切壁部を構成するスライドパネルの構成を示す平面図である。
【図７】（ａ），（ｂ）は手前側の個室を仕切る仕切壁部を構成するスライドパネルの開放手順を示す図である。
【図８】本発明の実施例の変形例である間仕切装置の要部を示す平面図である。
【発明を実施するための形態】
【００１３】
本発明に係る間仕切装置を実施するための形態を実施例に基づいて以下に説明する。
【実施例】
【００１４】
実施例に係る間仕切装置につき、図１から図７を参照して説明する。以下、図２の紙面左側を空間の手前側とし、紙面右側を空間の奥側として説明する。
【００１５】
本実施例における間仕切装置は、病院や介護施設等において大部屋等の空間を複数の個室に仕切る装置である。図１及び図２に示されるように、間仕切装置１は、図示しない床から天井にかけて立設される仕切壁部２〜８から構成されており、これら仕切壁部２〜８により部屋Ｒ（空間）を複数の個室Ｐ１〜Ｐ４と通路Ｃとに仕切る装置である。個室Ｐ１〜Ｐ４内には、それぞれベッドＢやテーブルや収納家具等が配置される（ここではベッドＢのみ図示）。
【００１６】
仕切壁部２は透光性を備えたポリカーボネート製のパネル体３５を上部に備えて構成されている。ここでは詳述しないが、個室Ｐ１〜Ｐ４を仕切る他の仕切壁部３〜８も同様に、それぞれ少なくとも一部に透光性を備えたパネル体を備えており、隣接する個室Ｐ１〜Ｐ４の間でそれぞれ光が透過され、各個室Ｐ１〜Ｐ４内の圧迫感を減らすとともに、各個室Ｐ１〜Ｐ４の照度を確保することができる。尚、パネル体３５は半透明となっており、互いに個室の中は見えなくなっている。更に尚、仕切壁部２〜８においては、透光性を備えたパネル体を備える構成に代えて、一部に開口を備える構成としてもよく、これによれば、照度の確保に加えて、部屋Ｒ内の空調を各個室にて共有することができる。
【００１７】
個室Ｐ１〜Ｐ４は通路Ｃを囲むように略コ字状に配置されており、通路Ｃは一方端が部屋Ｒの出入口Ｅに面するように、部屋Ｒの略中央に奥行方向に延びて形成され、通路Ｃの奥側の端部は、２つの個室（以下、奥側個室Ｐ１，Ｐ２という。）により閉じられている。尚、部屋Ｒについては構造を簡略化してあるが、出入口Ｅは、例えば図示しない引戸等により開閉可能となっている。
【００１８】
奥側個室Ｐ１は、仕切壁部２により隣接する手前側の個室Ｐ３との間を仕切られ、仕切壁部３により隣接する奥側個室Ｐ２との間を仕切られ、仕切壁部７を構成する引戸パネル９により通路Ｃとの間を仕切られ、これら仕切壁部２と仕切壁部３と引戸パネル９と部屋Ｒの奥側の壁Ｗ１及び側壁Ｗ２と、により５方を囲まれて区画されている。
【００１９】
奥側個室Ｐ２は、奥側個室Ｐ１と同様に、仕切壁部４と仕切壁部３と仕切壁部８を構成する引戸パネル１０と部屋Ｒの奥側の壁Ｗ１及び側壁Ｗ３と、により５方を囲まれて区画されている。
【００２０】
仕切壁部２は、部屋Ｒの奥側の壁Ｗ１より手前側に所定間隔離間した位置で、部屋Ｒの奥側の壁Ｗ１と平行に部屋Ｒの側壁Ｗ２から内側に所定寸法延びるように配置されており、仕切壁部４も同様に部屋Ｒの奥側の壁Ｗ１より手前側に所定間隔離間した位置で、部屋Ｒの奥側の壁Ｗ１と平行に部屋の側壁Ｗ３から内側に所定寸法延びるように配置されている。
【００２１】
仕切壁部３は、部屋Ｒの奥側の壁Ｗ１の幅方向の略中央から通路Ｃに向けて部屋Ｒの側壁Ｗ２，Ｗ３と平行に延びるように配置されている。この仕切壁部３は、通路Ｃ側の端部３ａ（図２参照）が仕切壁部２，４よりも部屋Ｒの奥側に位置している。
【００２２】
引戸パネル９は、下端にキャスター（図示略）を備えて床に荷重が支持されている。また、図１及び図３（ａ）に示されるように、引戸パネル９の上端には後に詳述する被案内部１４Ａ，１４Ｂを備え、被案内部１４Ａ，１４Ｂが図示しない固定手段により天井または架台に架設されたスライドレール１３に案内されて移動方向が規定される引戸構造となっている。引戸パネル１０は引戸パネル９の左右対称の構成となっているため、ここでは説明を省略する。
【００２３】
スライドレール１３は、奥側個室Ｐ１，Ｐ２同士を仕切る仕切壁部３の通路Ｃ側の端部３ａから、仕切壁部２の通路Ｃ側の端部２ａ近傍まで直線状に延びる第１レール１５と、第１レール１５の端部に連続して、仕切壁部２に沿って所定距離延びる第２レール１６と、から構成されている。第１レール１５と第２レール１６とは、引戸パネル９に設けられた被案内部１４Ａ，１４Ｂが案内される溝部１５ａと溝部１６ａとが連続しており、被案内部１４Ａ，１４Ｂが各々主に第１レール１５と第２レール１６に沿って移動可能になっている。
【００２４】
被案内部１４Ａ，１４Ｂは、引戸パネル９の移動方向に離間して引戸パネル９の上端から上方に向け２本設けられている（図１参照）。
【００２５】
図３（ｂ）では、スライドレール１３の第１レール１５及び第２レール１６と被案内部１４Ａ，１４Ｂとの関係を分かり易くするために、第１レール１５及び第２レール１６をそれぞれ１本の破線にて示している。図３（ｂ）に示されるように、引戸パネル９の閉状態においては、閉方向側の被案内部１４Ａが第１レール１５の閉方向側に位置し、開方向側の被案内部１４Ｂが第２レール１６の開方向側に位置している。
【００２６】
引戸パネル９を開方向に移動させる際には、開方向側に位置する被案内部１４Ａが第２レール１６に案内されて移動し、閉方向側の被案内部１４Ｂは第１レール１５に案内されて移動する。
【００２７】
奥側個室Ｐ１の開口Ａ１が開状態となった際には、閉方向側の被案内部１４Ｂが第２レール１６に位置し、引戸パネル９は個室Ｐ３と奥側個室Ｐ１とを仕切る仕切壁部２に沿って収納される。図３（ａ）に示されるように、第２レール１６の溝部１６ａの端部にはストッパー１６ｂを備え、このストッパー１６ｂに開方向側の被案内部１４Ａが当接することで開状態における引戸パネル９の移動が規制される。
【００２８】
図４（ａ）に示されるように、奥側個室Ｐ１，Ｐ２同士を仕切る仕切壁部３は、部屋Ｒの奥側の壁Ｗ１から延びる第１パネル体１７と、第１パネル体１７の端部から通路Ｃ側に延びる第２パネル体１８とから構成されている。
【００２９】
第２パネル体１８の第１パネル体１７側の端部の上端には、軸部材１９（図１参照）が設けられている。軸部材１９は図示しない天井側の構造物に軸支されており、第２パネル体１８が軸部材１９を回転軸として通路Ｃ側の自由端部が奥側個室Ｐ１，Ｐ２間で水平方向に移動可能となっている。
【００３０】
第２パネル体１８の通路Ｃ側の自由端部は、仕切壁部３の通路Ｃ側の端部３ａを構成し、先端で交わる傾斜面２０Ａ，２０Ｂを備えた先細り形状となっている。また、第２パネル体１８は図示しないフランス落としを下端部に備え、床に形成した穴部（図示略）にフランス落としを係合させることで第１パネル体１７と平行な状態において水平方向の移動が規制されるようになっている。
【００３１】
図４（ａ）に示されるように、引戸パネル９は、閉方向側の端部９ａが仕切壁部３の通路Ｃ側の端部３ａを構成する第２パネル体１８（可動パネル）の通路Ｃ側の自由端部の傾斜面２０Ａに付き当てられて、その閉方向への移動が規制される。
【００３２】
図２に示されるように、仕切壁部３の通路Ｃ側の端部３ａは、仕切壁部２よりも部屋Ｒの奥側に位置しているため、これら仕切壁部３の端部３ａと仕切壁部２の端部２ａとの間に形成された奥側個室Ｐ１の開口Ａ１はその開口面が、部屋Ｒの奥行方向、つまり通路Ｃの延設方向に対して傾斜して形成されることになる。奥側個室Ｐ１と奥側個室Ｐ２とは左右対称の構成となっているため、同様に奥側個室Ｐ２の開口Ａ２もまた、その開口面が通路Ｃの延設方向に対して傾斜して形成されている。これによれば、通路Ｃの幅方向に面するように２つの奥側個室Ｐ１，Ｐ２の開口Ａ１，Ａ２を配置しながらも、これら開口Ａ１，Ａ２の幅寸法を大きく形成することができ、通路Ｃと奥側個室Ｐ１，Ｐ２との間での人の出入りや家具の移動を容易に行えるのに十分な間口を確保することができる。尚、開口Ａ１の開口面と開口Ａ２の開口面とは、直角に対向している。
【００３３】
以上説明したように、通路Ｃの奥側を２つの奥側個室Ｐ１，Ｐ２により閉じるように通路Ｃを囲んで略コ字状に個室が配置されているため、部屋Ｒの奥行き方向において通路Ｃを短くし、その分奥側個室Ｐ１，Ｐ２の面積を広く確保することができる。
【００３４】
また、奥側個室Ｐ１，Ｐ２との間に通路Ｃが形成されず、奥側個室Ｐ１，Ｐ２を側壁Ｗ２，Ｗ４との間すなわち部屋Ｒの幅寸法に渡り形成できるため、その分奥側個室Ｐ１，Ｐ２の部屋Ｒの奥行き方向の寸法を短くしても十分に奥側個室Ｐ１，Ｐ２の面積を広く確保することができる。そのため、奥側個室Ｐ１，Ｐ２の部屋Ｒの奥行き方向の寸法を短くした分、手前側の個室Ｐ３，Ｐ４の面積を広く確保することができる。
【００３５】
また、奥側個室Ｐ１の開口Ａ１を閉じる引戸パネル９は、部屋Ｒの奥行方向、つまり通路Ｃの延設方向に対して傾斜して配置されている。引戸パネル１０は引戸パネル９の左右対称の構成となっているため、これら引戸パネル９，１０が互いに対向するように斜めに配置され、これら引戸パネル９，１０の間に略二等辺三角形状の空間が形成される。これによれば、引戸パネル９，１０の間に形成された略二等辺三角形状の空間を利用して、奥側個室Ｐ１または奥側個室Ｐ２に搬入または搬出する家具の方向転換を行い易い。さらに、例えば一方の奥側個室Ｐ１へ家具を搬入または搬出するためのスペースとして、他方の奥側個室Ｐ２の斜めに配置された引戸パネル１０の前の空間を利用することができ、大型の家具の搬入または搬出を行い易い。
【００３６】
また、引戸パネル９は、閉状態において閉方向側の端部９ａが仕切壁部３の通路Ｃ側の端部３ａを構成する第２パネル体１８の通路Ｃ側の自由端部の傾斜面２０Ａに付き当てられ、同様に引戸パネル１０は、閉方向側の端部１０ａが第２パネル体１８の通路Ｃ側の自由端部の傾斜面２０Ｂに付き当てられる。これによれば、仕切壁部３の通路Ｃ側の端部３ａは先細り形状であるため、引戸パネル９の端部９ａと引戸パネル１０の端部１０ａとが近接した状態で召合せられることになり、奥側個室Ｐ１，Ｐ２の開口Ａ１，Ａ２の幅寸法を大きく確保できる。
【００３７】
また、仕切壁部３を構成する第２パネル体１８が軸部材１９を回転軸として通路Ｃ側の自由端部が奥側個室Ｐ１，Ｐ２間で水平方向に移動可能となっているため、例えば奥側個室Ｐ１に対して家具を搬入または搬出する際にあっては、図４（ｂ）に示されるように、奥側個室Ｐ１の引戸パネル９を開くとともに、他方の奥側個室Ｐ２の引戸パネル１０も開けた状態とし、第２パネル体１８を奥側個室Ｐ２内に水平方向に移動させることで、開口Ａ１，Ａ２を繋いで他方の奥側個室Ｐ１に対して家具を搬入または搬出可能な間口を拡張することができる。
【００３８】
図５に示されるように、手前側の個室Ｐ４は、側壁Ｗ３と平行に部屋Ｒの奥行方向に延びる仕切壁部６と、奥側個室Ｐ２を区画する仕切壁部４と、部屋Ｒの手前側の壁Ｗ５と、側壁Ｗ３とにより区画されている。
【００３９】
仕切壁部６は、開口Ａ４を開閉する引戸パネル１２と、スライドパネル２７，２８と、仕切壁部４の通路Ｃ側の端部と閉状態の引戸パネル１０の端部と４５度斜めに交わる接続部材２２と、から構成されている。接続部材２２は、開口Ａ２の開口面に対して略直交している。
【００４０】
引戸パネル１２は、下端にキャスター（図示略）を備えて床に荷重が支持されている。引戸パネル１２は、上端には被案内部２３Ａ，２３Ｂを備え、被案内部２３Ａ，２３Ｂ（図１参照）が図示しない固定手段により天井または架台に架設されたスライドレール２１に案内されて移動方向が規定される引戸構造となっている。引戸パネル１１は引戸パネル１２の左右対称の構成となっているため、ここでは説明を省略する。
【００４１】
スライドレール２１は、仕切壁部６に平行に延びる第１直線部２４と、仕切壁部４に平行に延びる第２直線部２５と、第１直線部２４と第２直線部２５とを繋ぐ湾曲部２６と、から構成されている。図５（ａ）に示されるように、引戸パネル１０の閉状態においては、閉方向側の被案内部２３Ａが第１直線部２４の閉方向側に位置し、開方向側の被案内部２３Ｂが湾曲部２６の開方向側に位置している。
【００４２】
図５（ｂ）では、スライドレール２１の第１直線部２４と第２直線部２５と湾曲部２６と被案内部２３Ａ，２３Ｂとの関係を分かり易くするために、第１直線部２４と第２直線部２５と湾曲部２６をそれぞれ１本の破線にて示している。図５（ｂ）に示されるように、引戸パネル１０を開方向に移動させる際には、開方向側に位置する被案内部２３Ａが第１直線部２４に案内されて移動し、閉方向側の被案内部２３Ｂは湾曲部２６に案内された後に第２直線部２５に案内されて移動する。引戸パネル１０は開状態で個室Ｐ４と奥側個室Ｐ２とを仕切る仕切壁部４に沿って収納される。
【００４３】
図６に示されるように、２枚のスライドパネル２７，２８は連接されており、部屋Ｒの手前側の壁Ｗ５側のスライドパネル２８の壁Ｗ５側の端部の上端には、軸部材３０が設けられている。軸部材３０は図示しない天井側の構造物に軸支されており、スライドパネル２８が軸部材３０を回転軸として引戸パネル１０側の自由端部が通路Ｃと個室Ｐ４との間で水平方向に移動可能となっている。
【００４４】
一方、引戸パネル１０側のスライドパネル２７の上端には、被案内部３１Ａ，３１Ｂ（図１参照）が設けられており、被案内部３１Ａ，３１Ｂが図示しない固定手段で天井に固定されたレール２９に案内される。レール２９は、通路Ｃと平行に延びる第１レール部２９ａと、第１レール部２９ａに直交して個室Ｐ４側に延びる第２レール部２９ｂと、第２レール部２９ｂに直交して壁Ｗ５側に延びる第３レール部２９ｃ及び第４レール部２９ｄと、から構成されている。第３レール部２９ｃと第４レール部２９ｄとは被案内部３１Ａ，３１Ｂの距離と同じ距離で離間して平行に架設されている。
【００４５】
スライドパネル２７，２８を開放する際には、図７（ａ）に示されるように、壁Ｗ５側のスライドパネル２８を通路Ｃ側に回動させた後、スライドパネル２７を第１レール部２９ａ、第２レール部２９ｂの順に移動させ、図７（ｂ）に示されるように、第３レール部２９ｃと第４レール部２９ｄとに、被案内部３１Ａ，３１Ｂをそれぞれ案内させてスライドパネル２８を壁Ｗ５に沿って収納する。
【００４６】
スライドパネル２７は個室Ｐ４側に回動させ、スライドパネル２８と沿って収納させる。このように、スライドパネル２７とスライドパネル２８とは、いずれも壁Ｗ５に沿って収納することができる。
【００４７】
これによれば、図７（ｂ）に示すように、引戸パネル１２を開状態とし、スライドパネル２７とスライドパネル２８を開放することで、個室Ｐ４の通路Ｃ側を略全面に渡り開放可能であるため、通路Ｃの幅を小さくしても、大型の家具を個室Ｐ４に対して容易に搬入または搬出できるスペースを確保することができる。言い換えれば、このように搬入または搬出できるスペースを確保できることから、通路Ｃの幅を小さくした分、個室Ｐ３，Ｐ４に充てられる面積を大きくすることができる。
【００４８】
また、図６に示されるように、仕切壁部６を構成する閉状態の引戸パネル１２は、奥側個室Ｐ２と手前側の個室Ｐ４とを仕切る仕切壁部４の通路Ｃ側の端部より通路Ｃ側に位置しており、これら閉状態の引戸パネル１２の端部１２ａと仕切壁部４の端部との間が、斜めに配置される接続部材２２により閉じられている。言い換えると、個室Ｐ４における奥側個室Ｐ２側の角部が面取りされた形状となっている。これによれば、奥側個室Ｐ２と隣接する手前側の個室Ｐ４の面積を通路Ｃ側に大きくしながら、個室Ｐ４を区画する仕切壁部４，６同士が交差する角部が、通路Ｃにおける奥側個室Ｐ１の開口Ａ２の前方に斜めに延びる移動経路に突出せず、家具や人の移動を阻害することがない。
【００４９】
また、図２に示されるように、奥側個室Ｐ１，Ｐ２と隣接する個室Ｐ３，Ｐ４の開口Ａ３，Ａ４は、奥側個室Ｐ１，Ｐ２の開口Ａ１，Ａ２側に近接するように偏って配置されている。これによれば、奥側個室Ｐ１，Ｐ２と個室Ｐ３，Ｐ４との開口位置をまとめることで、互いの開口を利用して家具を転回、搬入または搬出するためのスペースを確保できる。例えば奥側個室Ｐ１の開口Ａ１を介して奥側個室Ｐ１内の空間を利用することで、手前側の個室Ｐ４に搬入または搬出する家具の転回や切り返しを容易に行うことができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、間仕切装置１は、部屋Ｒを２つの奥側個室Ｐ１，Ｐ２と奥側個室Ｐ１，Ｐ２の手前に個室を１つずつ区画する構成を例に説明したが、これに限らず奥側個室Ｐ１，Ｐ２の手前側の個室の数は１つずつに限定されず、複数の個室を区画する構成であってもよいし、双方の奥側個室の手前側で区画される個室の大きさや数が異なるように部屋を区画する構成であってもよい。尚、個室の配置は少なくとも通路の奥側を閉じるコ字状部分の形状を有していれば、例えば通路を挟んで対向する側部の奥行き方向の長さが異なる略Ｊ字状であっても上記した略コ字状という形状の定義に含まれる。
【００５２】
また、前記実施例では、奥側個室Ｐ１，Ｐ２の開口Ａ１，Ａ２を閉じる引戸パネル９，１０は閉状態において閉方向側の端部９ａ，１０ａが先細り形状の仕切壁部３の通路Ｃ側の端部３ａにて、召合せられる構成で説明したが、奥側個室Ｐ１，Ｐ２の開口を十分に確保できれば、これら端部９ａ，１０ａ同士が召合せられる構成でなくてもよい。例えば、仕切壁部３の通路Ｃ側の端部を通路Ｃの延設方向に直交するパネル体を備え、このパネル体の幅方向の両端に端部９ａ，１０ａをそれぞれ当接させる構成であってもよい。
【００５３】
また、前記実施例においては、部屋Ｒが矩形状である構成を例に説明したが、これに限らず、部屋が円形などの他の形状でも間仕切装置１を利用できることはいうまでもない。更に、間仕切装置１は、建物の躯体を構成する壁と床と天井にて構成された空間にて使用される態様に限らず、例えば間仕切パネル等のパネル体により形成された周囲を区画された空間内を通路と複数の個室とに仕切る場合にも用いることができる。
【００５４】
また、前記実施例においては、病院や介護施設等において使用されることを目的としており、入院患者のプライバシー保護の観点から、個室Ｐ１〜Ｐ４の開口Ａ１〜Ａ４は、引戸パネルにより開閉される構成としているが、これに限らず、個室内での滞在が短時間となるような、例えば透析治療等を行う個室を区画する場合には、各開口を開放してもよい。
【００５５】
また、個室Ｐ１〜Ｐ４の開口Ａ１〜Ａ４を開閉するパネルは、前記実施例のような引戸構造に限らず、いわゆる折れ戸を採用してもよい。例えば、図８に示されるように、奥側個室Ｐ１，Ｐ２の開口Ａ１，Ａ２を開閉する折れ戸４０は、仕切壁部２の通路Ｃ側の端部２ａ側において天井と床とに軸部材４１にて幅方向の一方端を軸支される第１パネル体４２と、図示しないリンク手段により第１パネル体４２と相対回動可能に接続された第２パネル体４３と、から構成されている。
【００５６】
第２パネル体４３は、開口Ａ１の閉状態において、個室Ｐ１内に頂点が突出するような屈折形状となっている。そのため、折れ戸４０による閉状態において、折れ戸４０の通路Ｃ側の空間を大きく確保することができる。また、開口Ａ１の開状態において、第１パネル体４２と第２パネル体４３の接続端側の面４３ａとは、仕切壁部２に沿って収納され、第２パネル体４３は、自由端側の面４３ｂが前述の接続部材２２と略沿うように収納されるようになっており、開口Ａ１における間口を広く確保することができる。
【００５７】
また、個室Ｐ１〜Ｐ４の開口Ａ１〜Ａ４を開閉するパネルは、前記実施例のような引戸構造に限らず、例えば幅方向の一方端が軸支された開き戸構造であってもよいし、カーテン等で開閉可能としてもよい。更に、個室Ｐ１〜Ｐ４の開口Ａ１〜Ａ４を開閉する引戸パネルは、キャスターにて床面に荷重を支持させる構成に限らず、例えばスライドレールに吊支される構成であってもよい。
【００５８】
また、個室Ｐ１〜Ｐ４の開口Ａ１〜Ａ４を開閉する引戸パネルの開閉方向は前記実施例の構成に限らず、反対方向に開閉される構成としてもよい。例えば、個室Ｐ１の開口Ａ１を開閉する引戸パネル９は、奥側個室Ｐ１と奥側個室Ｐ２とを仕切る仕切壁部３に沿って移動する構成としてもよい。
【００５９】
また、本発明の間仕切装置１は、通路の奥側の端部が２つの個室により閉じられる構成とすることで、通路の専有面積を小さくできる特徴的な効果を奏することができるため、この通路の奥側の端部が２つの個室により閉じられる構成を少なくとも備えていれば、部屋の形状や出入口の配置に応じて間仕切装置１の構成は種々変更可能である。
【００６０】
また、奥側個室Ｐ１と奥側個室Ｐ２とを仕切る仕切壁部３を構成する第２パネル体１８の可動構成は回動に限らず、例えば第２パネル体を天井側に奥側個室Ｐ１と奥側個室Ｐ２とに亘り架設したレールに吊支させ、レールに沿って第２パネル体を厚み方向に移動可能としてもよい。
【符号の説明】
【００６１】
１                間仕切装置
２〜８            仕切壁部
３ａ              仕切壁部端部
９，１０          引戸パネル
１３              スライドレール
１４Ａ，１４Ｂ    被案内部
１５              レール
１６              レール
１６ｂ            ストッパー
１７              第１パネル体
１８              第２パネル体（可動パネル）
１９              軸部材
２０Ａ，２０Ｂ    傾斜面
２１              スライドレール
２２              接続部材
２３Ａ，２３Ｂ    被案内部
２４              第１直線部
２５              第２直線部
２６              湾曲部
２７，２８        スライドパネル
２９              レール
３０              軸部材
３１Ａ，３１Ｂ    被案内部
Ａ１〜Ａ４        開口
Ｃ                通路
Ｅ                出入口
Ｐ１，Ｐ２        奥側個室（個室）
Ｐ３，Ｐ４        個室
Ｒ                部屋（空間）
Ｗ１              奥側の壁
Ｗ２，Ｗ３        側壁
Ｗ４，５          手前側の壁
【図１】
2019127778.tif 000003
【図２】
2019127778.tif 000004
【図３】
2019127778.tif 000005
【図４】
2019127778.tif 000006
【図５】
2019127778.tif 000007
【図６】
2019127778.tif 000008
【図７】
2019127778.tif 000009
【図８】
2019127778.tif 000010